(57)【要約】【課題】６面体形状に割付けられた一対の住宅ユニットを連接配置して得られる連続する側壁面に、これらに跨る大きさの開口部の枠組を容易に設けることを可能にする開口部構造を提供する。【解決手段】６面体形状に割付けらた一対の住宅ユニット１１ａ，１１ｂを連接配置して得られる連続する側壁面１２ａ，１２ｂに、双方の住宅ユニット１１ａ，１１ｂに跨る大きさの開口部１３の枠組を設けるための開口部構造であって、開口部１３が形成される各側壁面１２ａ，１２ｂにおいて開口部１３を挟んだ両側に立設配置される各柱部材２０ａ，２０ｂには、まぐさ受柱材２１ａ，２１ｂが上端部分を切欠いた状態で重ねて取付けられる。そして、両側のまぐさ受柱材２１ａ，２１ｂに両端を支持させて、双方の住宅ユニット１１ａ，１１ｂに跨る一本のまぐさ１７を、上方から落とし込むようにして開口部１３の上部に沿って取付ける。【選択図】　　　　図２
2004084351.tif 000002
【特許請求の範囲】
【請求項１】
予め組立てた複数の住宅ユニットを接合一体化して形成されるユニット住宅において、６面体形状に割付けらた一対の住宅ユニットを連接配置して得られる連続する側壁面に、双方の住宅ユニットに跨る大きさの開口部の枠組を設けるための住宅ユニットの開口部構造であって、
前記開口部が形成される前記一対の住宅ユニットの各側壁面において前記開口部を挟んだ両側に立設配置される各柱部材には、前記開口部側の側面に沿ってまぐさ受柱材が上端部分を切欠いた状態で重ねて取付けられており、
両側の前記まぐさ受柱材に両端を支持させて、前記双方の住宅ユニットに跨る一本のまぐさを、上方から落とし込むようにして前記開口部の上部に沿って連続して取付けることを特徴とする住宅ユニットの開口部構造。
【請求項２】
底面プレート部と立面プレート部とからなるＬ字形断面形状のまぐさ受金物を、前記底面プレート部を前記まぐさ受柱材の上端面に載置して前記柱部材の開口部側の側面の上端部分に取付け、前記まぐさ受金物及び前記まぐさ受柱材に両端を支持させて、前記一本のまぐさを前記開口部の上部に沿って連続して取付ける請求項１記載の住宅ユニットの開口部構造。
【請求項３】
前記まぐさは、その上端面が前記開口部を挟んだ両側に立設配置される柱部材の天端面の高さに配置されるように取付けられ、前記まぐさの下端面に下端を係止したボルト部材を、前記まぐさを貫通させて上方に突出させ、上方に据付けられる住宅ユニットの骨組部材に締結して、上下の住宅ユニットを一体化させる請求項１又は２に記載の住宅ユニットの開口部構造。
【発明の詳細な説明】
【０００１】
【発明の属する技術分野】
本発明は、予め組立てた複数の住宅ユニットを接合一体化して形成されるユニット住宅において、６面体形状に割付けらた一対の住宅ユニットを連接配置して得られる連続する側壁面に、双方の住宅ユニットに跨る大きさの開口部の枠組を設けるための住宅ユニットの開口部構造に関する。
【０００２】
【従来の技術及び発明が解決しようとする課題】
近年、住宅建築物の施工の迅速化や高精度化を図るべく、予め工場等で形成された複数の住宅ユニットを建築施工現場で組立てて構築するユニット住宅が開発されている。このようなユニット住宅においては、形成された各住宅ユニットを例えば運送用のトラック等に積込んで建築施工現場に搬入し、例えばクレーン等の吊上げ用の重機を用いて吊上げて所定の位置に据付け、他の住宅ユニットと共に接合一体化することによってユニット住宅を組立てる。
【０００３】
また、ユニット住宅は、例えばトラックの荷台等に積込み易いように、住宅内の各空間（部屋等）を分断して６面体形状に割付けられた住宅ユニットを含む複数の住宅ユニットによって構成される場合が多い。このような６面体形状に割付けられた住宅ユニットは、吊上げ時等における安定した構造となるように、６面体の１２本の各綾線の全てに骨組み部材が設けられているものが一般的である。
【０００４】
一方、これらの６面体形状の住宅ユニットにおいては、その４方を囲む側壁面に例えば窓や開閉扉のための開口部が設けられることが多く、また一方向又は複数方向の側壁面を全面に亘って開口部とした住宅ユニットが形成される場合もある。しかしながら、これらの住宅ユニットの開口部は、各側壁面の領域内に納まるように当該開口部の周囲の枠組が画定されるものであり、隣接する一対の住宅ユニットに跨る大きさの開口部を設けるための確立した枠組の施工方法が開発されていなかったことから、特に、６面体形状の住宅ユニットが長方形の平面形状を有している場合、その短辺部に位置する側壁面の開口部は、その大きさが短辺部の巾に制限されることになるため、当該短辺部に沿った方向に大きな開口部を設けることが出来なくなって、住宅ユニットを設計する際の自由度が制約されることになる。
【０００５】
本発明は、このような従来の課題に着目してなされたものであり、６面体形状に割付けられた一対の住宅ユニットを連接配置して得られる連続する側壁面に、双方の住宅ユニットに跨る大きさの開口部の枠組を容易に設けることを可能にして、住宅ユニットを設計する際の自由度を高めることのできる住宅ユニットの開口部構造を提供することを目的とする。
【０００６】
【課題を解決するための手段】
本発明は、予め組立てた複数の住宅ユニットを接合一体化して形成されるユニット住宅において、６面体形状に割付けらた一対の住宅ユニットを連接配置して得られる連続する側壁面に、双方の住宅ユニットに跨る大きさの開口部の枠組を設けるための住宅ユニットの開口部構造であって、前記開口部が形成される前記一対の住宅ユニットの各側壁面において前記開口部を挟んだ両側に立設配置される各柱部材には、前記開口部側の側面に沿ってまぐさ受柱材が上端部分を切欠いた状態で重ねて取付けられており、両側の前記まぐさ受柱材に両端を支持させて、前記双方の住宅ユニットに跨る一本のまぐさを、上方から落とし込むようにして前記開口部の上部に沿って連続して取付けることを特徴とする住宅ユニットの開口部構造を提供することにより、上記目的を達成したものである（請求項１記載の発明）。
【０００７】
また、本発明の住宅ユニットの開口部構造によれば、底面プレート部と立面プレート部とからなるＬ字形断面形状のまぐさ受金物を、前記底面プレート部を前記まぐさ受柱材の上端面に載置して前記柱部材の開口部側の側面の上端部分に取付け、前記まぐさ受金物及び前記まぐさ受柱材に両端を支持させて、前記一本のまぐさを前記開口部の上部に沿って連続して取付けるようにすることが好ましい（請求項２記載の発明）。
【０００８】
さらに、本発明の住宅ユニットの開口部構造によれば、前記まぐさは、その上端面が前記開口部を挟んだ両側に立設配置される柱部材の天端面の高さに配置されるように取付けられ、前記まぐさの下端面に下端を係止したボルト部材を、前記まぐさを貫通させて上方に突出させ、上方に据付けられる住宅ユニットの骨組部材に締結して、上下の住宅ユニットを一体化させることもできる（請求項３記載の発明）。
【０００９】
【発明の実施の形態】
以下本発明の好ましい実施形態を添付図面を参照しつつ詳細に説明する。本実施形態の住宅ユニットの開口部構造は、図１に示すような、予め工場等で組立てた複数の住宅ユニットを接合一体化して形成される、例えば枠組壁工法によるユニット住宅１０において、当該ユニット住宅１０の１階部分を構成する、縦横４箇所に連接配置される住宅ユニット１１ａ，１１ｂ，１１ｃ，１１ｄのうち、横方向に並べて配置される一対の住宅ユニット１１ａ，１１ｂの連続する側壁面１２ａ，１２ｂに、双方の住宅ユニット１１ａ，１１ｂに跨る大きさの開口部１３の枠組を設けるための開口部構造として採用されたものである。
【００１０】
ここで、本実施形態によれば、各住宅ユニット１１ａ，１１ｂ，１１ｃ，１１ｄは、トラックの荷台等に積込み易いように、長方形の平面形状を有する６面体形状に割付けられた領域を占める形状に各々形成されている。また第１住宅ユニット１１ａには、長方形の床組１４ａの一方の長辺部に位置する側壁面と一方の短辺部に位置する側壁面に、ユニット住宅１０の外壁面を構成する外壁構造体１５ａが立設配置されており、他方の短辺部に位置する側壁面には、これの一部に張出して屋内の仕切壁を構成する袖壁１６が立設配置されている。さらに、第２住宅ユニット１１ｂには、長方形の床組の一方の長辺部に位置する側壁面と一方の短辺部に位置する側壁面に、ユニット住宅１０の外壁面を構成する外壁構造体１５ｂが立設配置されている。
【００１１】
そして、第１住宅ユニット１１ａと第２住宅ユニット１１ｂは、外壁構造体１５ａ，１５ｂが設けられていない長辺部同士を接合して、第１住宅ユニット１１ａと第２住宅ユニット１１ｂとが一体となった居室空間１８を形成している。また外壁構造体１５ａ，１５ｂが設けられていない各住宅ユニット１１ａ，１１ｂの他方の短辺部に沿った側壁面１２ａ，１２ｂは連続することになり、略全面が開口部となっている第２住宅ユニット１１ｂの側壁面１２ｂと、袖壁１６を除く部分が開口部となっている第１住宅ユニット１１ａの側壁面１２ａとによって、双方の住宅ユニット１１ａ，１１ｂに跨る大きさの開口部１３が形成されると共に、この開口部１３の上部に沿って一本のまぐさ１７が、上方から落とし込むようにして枠組の一部として連続して取付けられることになる。
【００１２】
なお、本実施形態によれば、第３住宅ユニット１１ｃには、長方形の床組１４ｃの一方の長辺部に位置する側壁面と一方の短辺部に位置する側壁面に、ユニット住宅１０の外壁面を構成する外壁構造体１５ｃが立設配置されており、第４住宅ユニット１１ｄには、長方形の床組１４ｄの一方の長辺部に位置する側壁面と一方の短辺部に位置する側壁面に、ユニット住宅１０の外壁面を構成する外壁構造体１５ｄが各々立設配置されている。また第３住宅ユニット１１ｃと第４住宅ユニット１１ｄは、外壁構造体１５ｃ，１５ｄが設けられていない長辺部同士を接合して、第３住宅ユニット１１ｃと第４住宅ユニット１１ｄとが一体となった居室空間１９を形成している。さらに外壁構造体１５ｃ，１５ｄが設けられていない各住宅ユニット１１ｃ，１１ｄの他方の短辺部は、開口部１３が形成された第１住宅ユニット１１ａと第２住宅ユニット１１ｂの連続する側壁面１２ａ，１２ｂに面して配置されることになり、当該開口部１３が形成された連続する側壁面１２ａ，１２ｂによって、第３住宅ユニット１１ｃと第４住宅ユニット１１ｄとによる居室空間１９が、第１住宅ユニット１１ａと第２住宅ユニット１１ｂとによる居室空間１８から仕切られることになる。
【００１３】
そして、本実施形態の住宅ユニットの開口部構造は、一対の住宅ユニットとして、第１住宅ユニット１１ａと第２住宅ユニット１１ｂとを連接配置して得られる連続する側壁面１２ａ，１２ｂに、双方の住宅ユニット１１ａ，１１ｂに跨る大きさの開口部１３の枠組を設けるための開口部構造であって、図２に示すように、開口部１３が形成される一対の住宅ユニット１１ａ，１１ｂの各側壁面１２ａ，１２ｂにおいて開口部１３を挟んだ両側に立設配置される各柱部材２０ａ，２０ｂには、開口部１３側の側面に沿ってまぐさ受柱材２１ａ，２１ｂを上端部分を切欠いた状態で重ねて取付ける。また両側のまぐさ受柱材２１ａ，２１ｂに両端を支持させて、双方の住宅ユニット１１ａ，１１ｂに跨る一本のまぐさ１７を、上方から落とし込むようにして開口部１３の上部に沿って連続して取付けることによって開口部構造が構成されるものである。
【００１４】
また、本実施形態によれば、底面プレート部２２と立面プレート部２３とからなるＬ字形断面形状のまぐさ受金物２４を、底面プレート部２２をまぐさ受柱材２１ａ，２１ｂの上端面に載置して柱部材２０ａ，２０ｂの開口部１３側の側面の上端部分に取付け、まぐさ受金物２４及びまぐさ受柱材２１ａ，２１ｂに両端を支持させて、一本のまぐさ１７が、開口部１３の上部に沿って連続して取付けられている。
【００１５】
本実施形態によれば、第１住宅ユニット１１ａと第２住宅ユニット１１ｂとを連接配置して得られる連続する側壁面１２ａ，１２ｂは、ユニット住宅１０の屋内における居室空間１８と居室空間１９との間の仕切壁を構成するものであって、これらの側壁面１２ａ，１２ｂには、両側の一対の柱部材２０ａ，２０ｂと、上部のまぐさ１７とによる門形の枠組に囲まれて、開口部１３が形成されることになる。なお、この開口部１３には、住宅ユニット１１ａ，１１ｂ，１１ｃ，１１ｄが組立てられた後に、例えば引き戸等の開閉扉が設けられることになる。
【００１６】
第１住宅ユニット１１ａの側壁面１２ａに立設配置される柱部材２０ａは、袖壁１６の壁枠組みの端部に配置される縦枠であって、枠組壁工法に用いる例えば３８ｍｍ×８９ｍｍの矩形断面を有する枠材を、２本一組として床組１４ａから垂直に立設させて設けられている。また第２住宅ユニット１１ｂの側壁面１２ｂに立設配置される柱部材２０ｂは、長辺部に設けられた外壁構造体１５ｂの壁枠組の端部に配置される縦枠であって、柱部材２０ａと同様に、枠組壁工法に用いる例えば３８ｍｍ×８９ｍｍの矩形断面を有する枠材を、２本一組として床組１４ｂから垂直に立設させて設けられている。
【００１７】
そして、これらの柱部材２０ａ，２０ｂには、開口部１３側の側面に沿って、まぐさ受柱材２１ａ，２１ｂが上端部分を切欠いた状態で取付けられる。まぐさ受柱材２１ａ，２１ｂは、枠組壁工法に用いる例えば３８ｍｍ×８９ｍｍの矩形断面を有する枠材を、２本一組として柱部材２０ａ，２０ｂの開口部１３側の側面に密着させつつ床組１４ａ，１４ｂから垂直に立設させて、柱部材２０ａ，２０ｂに重ねて取付けられる。なお、２本一組のまぐさ受柱材２１ａ，２１ｂのうち、柱部材２０ａ，２０ｂと密着する側の一方のまぐさ受柱材２１ａ，２１ｂは、袖壁１６又は外壁構造体１５ｂの壁枠組を構成する下枠２５ａ，２５ｂから立設させて、住宅ユニット１１ａ，１１ｂの組立時に予め柱部材２０ａ，２０ｂに沿って取付けられる。また開口部１３側の他方のまぐさ受柱材２１ａ，２１ｂは、住宅ユニット１１ａ，１１ｂを建築施工現場に据付けた後に、床組１４ａ，１４ｂから直接立設させて、柱部材２０ａ，２０ｂに沿って取付けられる。
【００１８】
また、まぐさ受柱材２１ａ，２１ｂの上端部分は、その天端面が柱部材２０ａ，２０ｂの天端面よりもまぐさ１７の高さ分低くなるように切欠かれており、この切欠き部分２６ａ，２６ｂには、Ｌ字形断面形状のまぐさ受金物２４が各々取付けられると共に、上方から落とし込むようにしてまぐさ１７の両端が取付けられて、当該両端が支持されることになる。
【００１９】
まぐさ受金物２４は、上述のように、底面プレート部２２と立面プレート部２３とからなるＬ字形断面形状を有する金物であって、図３にも示すように、その巾方向中央部分には、底面プレート部２２と立面プレート部２３とに跨って、略矩形形状の挿入リブ２７が設けられている。また立面プレート部２３には、複数のビス孔２８が穿設されていて、ビス孔２８を介してビス２９を柱部材２０ａ，２０ｂに向けて打込むことにより、まぐさ受金物２４を柱部材２０ａ，２０ｂの上端部分に強固に固定することができるようになっている。さらに、底面プレート部２２にも複数のビス孔２８が穿設されていて、ビス２９を打込むことにより、まぐさ１７をまぐさ受金物２４に強固に固定することができるようになっている。さらにまた、底面プレート部２２には、挿入リブ２７の先端側に外れて、ボルト締着孔３０が穿設されていて、このボルト締着孔３０には、上下のユニットを連結するための連結ボルト３１の下端を締着係止することができるようになっている。
【００２０】
まぐさ１７は、図２に示すように、例えば巾８９ｍｍ、高さ２３５ｍｍ程度の矩形断面形状を有する木製梁部材であって、開口部１３を挟んで両側に設置された柱部材２０ａ，２０ｂ間の間隔に相当する長さを有している。また、まぐさ１７の両端部分には、各端面の中央を縦方向に切り込んで、端部スリット３２が各々形成されている。まぐさ１７は、図４にも示すように、端部スリット３２にまぐさ受金物２４の挿入リブ２７を挿入配置しつつ両端部を落とし込むようにして、まぐさ受金物２４及び柱部材２０ａ，２０ｂに当該両端部を支持させることにより、その上端面が柱部材２０ａ，２０ｂの天端面の高さに配置されるようにして、開口部の上部に沿って安定した状態で取付けられることになる。さらに、まぐさ１７には、これを上下に貫通するボルト挿入孔３３が複数箇所に形成されており、まぐさ受金物２４のボルト締着孔３０や座金３４等を介してまぐさ１７の下端面に下端を係止した連結ボルト３１を、まぐさ１７を貫通させて上方に突出させ、上方に据付けられる住宅ユニットの骨組部材に締結して、上下の住宅ユニットを一体化させることができるようになっている。
【００２１】
なお、第２住宅ユニット１１ｂは、図２に示すように、仮設支柱部材を３５を介して天井野縁３６を仮固定した状態で組立てられるものであり、また垂直保持具３７によって、床組１４ｂと外壁構造体１５ｂとの垂直な接合状態を保持しつつ、建築施工現場に据付けられる。
【００２２】
また、開口部１３の上部に沿って連続して取付けられたまぐさ１７の上面には、上枠や頭つなぎが適宜取付けられ、袖壁１６や外壁構造体１５ｂの壁枠組の天端面と高さを揃えた後に、これらの上方に上階部分の住宅ユニットが据付けられることになる。
【００２３】
そして、本実施形態の住宅ユニットの開口部構造によれば、６面体形状に割付けられた一対の住宅ユニットを連接配置して得られる連続する側壁面に、双方の住宅ユニットに跨る大きさの開口部の枠組を容易に設けることを可能にして、住宅ユニットを設計する際の自由度を高めることができる。すなわち、本実施形態によれば、開口部１３を挟んだ両側に立設配置される各柱部材２０ａ，２０ｂにまぐさ受柱材２１ａ，２１ｂを重ねて取付け、これに両端を支持させて、双方の住宅ユニット１１ａ，１１ｂに跨る一本のまぐさ１７を、上方から落とし込むようにして開口部１３の上部に沿って連続して取付けるといった、確立した施工方法によって、双方の住宅ユニット１１ａ，１１ｂに跨る大きさの開口部１３の枠組を容易に形成することができるので、例えば長方形の平面形状を有する住宅ユニットの短辺部に開口部を設ける場合に、当該短辺部の巾に制限されることなく大きな開口部を設けることが可能になり、これによって住宅ユニットをより自由に設計することが可能になる。
【００２４】
また、本実施形態によれば、ビス２９を介して柱部材２０ａ，２０ｂに固定されたまぐさ受金物２４と、まぐさ受柱材２１ａ，２１ｂの上端面とによって、まぐさ１７の両端を強固に支持することができると共に、まぐさ受金物２４を併用していることにより、例えば２本一組で用いられるまぐさ受柱材２１ａ，２１ｂを一本に減じて用いることが可能になり、これによって材料を節約することが可能になる。さらに、まぐさ１７を貫通させて取付けた連結ボルト３１を介して上下の住宅ユニットを締結一体化することにより、強固な梁部材であるまぐさ１７に直接支持させて、上下の住宅ユニットをより強固に一体化することが可能になる。さらにまた、本実施形態似よれば、例えば縦横に連接配置した４体の住宅ユニット１１ａ，１１ｂ，１１ｃ，１１ｄの十字差部分に発生する柱の集合体を無くした状態で、住宅ユニット１１ａ，１１ｂ，１１ｃ，１１ｄを組立てることが可能になる。
【００２５】
なお、本発明は上記実施形態に限定されることなく種々の変更が可能である。例えば、本発明は、枠組壁工法によるユニット住宅に限定されることなく、在来軸組構法によるユニット住宅にも採用することができ、住宅の１階部分に限定されることなく上階部分にも採用することができる。また、屋内の仕切壁に開口部を設ける場合に限定されることなく、住宅の外壁に大きな開口部を設ける際にも採用することができる。さらに、まぐさ受柱材の上端面にまぐさ受金物を載置して用いる必要は必ずしもない。
【００２６】
さらにまた、Ｌ字形断面形状のまぐさ受金物として、例えば図５（ａ）〜（ｃ）に示すような形状のものを使用することもできる。図５に示すまぐさ受金物４０は、前面及び上面か開口面となった箱形形状に加工形成されるものである。すなわち、矩形形状の底面プレート部４１の両側の側縁部から各々直角に立設してブーツ形状の側面プレート部４２が形成されると共に、側面プレート部４２の背面側の側縁から各々内方に直角に延設されて、一対の縦長矩形形状の立面プレート部４３がまぐさ受金物４０の背面に形成されることにより、まぐさ受金物４０は、底面プレート部４１と立面プレート部４３とによるＬ字形断面形状を有することになる。またまぐさ受金物４０には、適宜の箇所に、釘孔（ビス孔）４４やボルト締着孔４５が形成されており、上記実施形態のまぐさ受金物２４と同様に、柱部材２０ａ，２０ｂの開口部側の側面の上端部分に取付けられ、一対の側面プレート部４２の間に挟み込まれるようにしてまぐさ１７の両端が各々配置されて、まぐさ受柱材２１ａ，２１ｂの上端面と共に、まぐさ１７の両端を強固に支持することになる。
【００２７】
【発明の効果】
本発明の住宅ユニットの開口部構造によれば、６面体形状に割付けられた一対の住宅ユニットを連接配置して得られる連続する側壁面に、双方の住宅ユニットに跨る大きさの開口部の枠組を容易に設けることを可能にして、住宅ユニットを設計する際の自由度を高めることができる。
【図面の簡単な説明】
【図１】本発明の一実施形態に係る住宅ユニットの開口部構造を採用したユニット住宅の略示斜視図である。
【図２】本発明の一実施形態に係る住宅ユニットの開口部構造の構成を説明する要部分解斜視図である。
【図３】まぐさ受金物の取付け状況を説明する斜視図である。
【図４】まぐさの端部における取付け状況を説明する斜視図である。
【図５】他のまぐさ受金物を例示する（ａ）は上面図、（ｂ）は正面図、（ｃ）は側面図である。
【符号の説明】
１０　ユニット住宅
１１ａ　第１住宅ユニット
１１ｂ　第２住宅ユニット
１１ｃ　第３住宅ユニット
１１ｄ　第４住宅ユニット
１２ａ，１２ｂ　側壁面
１３　開口部
１５ａ，１５ｂ，１５ｃ，１５ｄ　外壁構造体
１６　袖壁
１７　まぐさ
１８，１９　居室空間
２０ａ，２０ｂ　柱部材
２１ａ，２１ｂ　まぐさ受柱材
２２，４１　底面プレート部
２３，４３　立面プレート部
２４，４０　まぐさ受金物
２５ａ，２５ｂ　下枠
２６ａ，２６ｂ　切欠き部分
２７　挿入リブ
３０，４５　ボルト締着孔
３１　連結ボルト
３２　端部スリット
３３　ボルト挿入孔
３４　座金
４２　側面プレート部
【図１】
2004084351.tif 000003
【図２】
2004084351.tif 000004
【図３】
2004084351.tif 000005
【図４】
2004084351.tif 000006
【図５】
2004084351.tif 000007